【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
バサルトチャージを溶融・加熱して溶融プロセスバサルトを供給してバサルト物品を製造するための電気誘導システムであって、高温コールドるつぼ誘導炉と、コールドるつぼ誘導炉チャージシステムと、溶融プロセスバサルトコールドるつぼ誘導炉を備え、
前記高温コールドるつぼ誘導炉は、その外部高さを包囲する高温コールドるつぼ誘導コイルを有し、前記高温コールドるつぼ誘導コイルには第１の交流電源から第１の交流電力が供給され、前記高温コールドるつぼ誘導炉は炉の注ぎ口リップアセンブリを有し、
前記コールドるつぼ誘導炉チャージシステムは、前記バサルトチャージを前記高温コールドるつぼ誘導炉に供給して、前記高温コールドるつぼ誘導炉内において前記バサルトチャージを誘導溶融させて、前記高温コールドるつぼ誘導炉内に加熱された溶融バサルトを生成させるためのものであり、
前記溶融プロセスバサルトコールドるつぼ誘導炉は、前記炉の注ぎ口リップアセンブリによって前記高温コールドるつぼ誘導炉から前記加熱された溶融バサルトを受け取り、前記加熱された溶融バサルトを溶融プロセスバサルト温度で溶融バサルト製造プロセスに供給するためのものであり、前記溶融プロセスバサルトコールドるつぼ誘導炉は、その外部高さを包囲する溶融プロセスバサルトコールドるつぼ誘導コイルを有し、前記溶融プロセスバサルトコールドるつぼ誘導コイルには第２の交流電源から第２の交流電力が供給される、
電気誘導システム。
【請求項２】
前記溶融バサルト製造プロセスはバサルト物品を連続的に鋳造することを含み、前記電気誘導システムは、さらに前記溶融プロセスバサルトコールドるつぼ誘導炉の底部に配置され、バサルトフィラメント又はバサルト繊維を連続的に鋳造するための鋳造プレナムを含む、請求項１に記載の電気誘導システム。
【請求項３】
さらに、前記高温コールドるつぼ誘導炉内の加熱された溶融バサルトの表面温度を測定するための、加熱された溶融バサルト表面温度測定装置と、
前記溶融プロセスバサルトコールドるつぼ誘導炉内の加熱された溶融バサルトを測定するための、溶融プロセスバサルト温度測定装置と、
前記溶融プロセスバサルト温度を維持するため、前記第１の交流電源からの第１の交流電力、前記第２の交流電源からの第２の交流電力、及び前記炉の注ぎ口リップアセンブリから前記溶融プロセスバサルトコールドるつぼ誘導炉への加熱された溶融バサルトの重力流速を制御するプロセスコントローラ、
を備える請求項１又は２に記載の電気誘導システム。
【請求項４】
前記重力流速は、前記高温コールドるつぼ誘導炉へのバサルトチャージの供給又は前記炉の注ぎ口リップアセンブリの傾斜によって制御される、請求項３に記載の電気誘導システム。
【請求項５】
バサルトチャージを溶融・加熱して溶融プロセスバサルトを供給してバサルト物品を製造するための電気誘導システムであって、高温コールドるつぼ誘導炉と、コールドるつぼ誘導炉チャージシステムと、溶融プロセスバサルトコールドるつぼ誘導炉と、密封コールドるつぼロンダを備え、
前記高温コールドるつぼ誘導炉は、その外部高さを包囲する高温コールドるつぼ誘導コイルを有し、前記高温コールドるつぼ誘導コイルには第１の交流電源から第１の交流電力が供給され、
前記コールドるつぼ誘導炉チャージシステムは、前記バサルトチャージを前記高温コールドるつぼ誘導炉に供給して、前記高温コールドるつぼ誘導炉内において前記バサルトチャージを誘導溶融させて、前記高温コールドるつぼ誘導炉内に加熱された溶融バサルトを生成させるためのものであり、
前記溶融プロセスバサルトコールドるつぼ誘導炉は、前記高温コールドるつぼ誘導炉から前記加熱された溶融バサルトを受け取り、前記加熱された溶融バサルトを溶融プロセスバサルト温度で溶融バサルト製造プロセスに供給するためのものであり、前記溶融プロセスバサルトコールドるつぼ誘導炉は、その外部高さを包囲する溶融プロセスバサルトコールドるつぼ誘導コイルを有し、前記溶融プロセスバサルトコールドるつぼ誘導コイルには第２の交流電源から第２の交流電力が供給される、
前記密封コールドるつぼロンダは、内部通路を有するセグメント化された壁部分を有し、前記密封コールドるつぼロンダは、前記高温コールドるつぼ誘導炉から前記溶融プロセスバサルトコールドるつぼ誘導炉に前記加熱された溶融バサルトの運搬のための、前記高温コールドるつぼ誘導炉の内部に連通した密封ロンダ内部入口開口と、前記溶融プロセスバサルトコールドるつぼ誘導炉の内部に連通した密封ロンダ内部出口を有する、
電気誘導システム。
【請求項６】
さらに、前記密封コールドるつぼロンダを通って流れる前記加熱された溶融バサルトの温度を制御するための、前記密封コールドるつぼロンダの前記セグメント化された壁部分の前記内部通路を通って流れる流体冷却媒体を制御する温度冷却制御ユニットを含む請求項５に記載の電気誘導システム。
【請求項７】
前記溶融バサルト製造プロセスはバサルト物品を連続的に鋳造することを含み、前記電気誘導システムは、さらに前記溶融プロセスバサルトコールドるつぼ誘導炉の底部に配置され、バサルトフィラメント又はバサルト繊維を連続的に鋳造するための鋳造プレナムを含む、請求項５又は６に記載の電気誘導システム。
【請求項８】
さらに、前記高温コールドるつぼ誘導炉内の加熱された溶融バサルトの表面温度を測定するための、加熱された溶融バサルト表面温度測定装置と、
前記溶融プロセスバサルトコールドるつぼ誘導炉内の加熱された溶融バサルトを測定するための、溶融プロセスバサルト温度測定装置と、
前記溶融プロセスバサルト温度を維持するため、前記第１の交流電源からの第１の交流電力、前記第２の交流電源からの第２の交流電力、及び前記温度冷却制御ユニットを制御するプロセスコントローラ、
を備える請求項６に記載の電気誘導システム。
【請求項９】
前記加熱された溶融バサルトの運搬は前記高温コールドるつぼ誘導炉へのバサルトチャージの供給により制御される、請求項８に記載の電気誘導システム。
【請求項１０】
バサルトチャージを溶融・加熱して溶融プロセスバサルトを供給してバサルト物品を製造するための電気誘導システムであって、溶融バサルトコールドるつぼ誘導炉を備え、
前記溶融バサルトコールドるつぼ誘導炉は、上部バサルト溶融ゾーンと、下部バサルトプロセスゾーンを有し、
前記上部バサルト溶融ゾーンは、前記溶融バサルトコールドるつぼ誘導炉に供給されたバサルトチャージを加熱された溶融バサルト温度にある溶融バサルトまで誘導溶融・加熱するための、前記上部バサルト溶融ゾーンの外部高さを包囲する一つ又は複数の高温誘導コイルを有し、
前記下部バサルトプロセスゾーンは、前記下部バサルトプロセスゾーン内の溶融バサルトを溶融バサルト製造プロセスのための溶融プロセスバサルト温度まで誘導加熱するための、前記下部バサルトプロセスゾーンの外部高さを包囲する一つ又は複数の溶融プロセスバサルト温度誘導コイルを有する、
電気誘導システム。
【請求項１１】
さらに、前記上部バサルト溶融ゾーンは、前記下部バサルトプロセスゾーンの下部水平断面内部面積より小さい上部水平断面内部面積を有し、前記上部バサルト溶融ゾーンと前記下部バサルトプロセスゾーンとの間に過渡的なくびれ水平断面領域を形成する、請求項１０に記載の電気誘導システム。
【請求項１２】
前記溶融バサルト製造プロセスはバサルト物品を連続的に鋳造することを含み、前記電気誘導システムは、さらに前記溶融プロセスバサルトコールドるつぼ誘導炉の底部に配置され、バサルトフィラメント又はバサルト繊維を連続的に鋳造するための鋳造プレナムを含む、請求項１０又は１１に記載の電気誘導システム。
【請求項１３】
さらに、前記上部バサルト溶融ゾーンにある加熱された溶融バサルトの表面温度を測定するための、加熱された溶融バサルトの表面温度測定装置と、
前記下部バサルトプロセスゾーンにある加熱された溶融バサルトを測定するための、溶融プロセスバサルト温度測定装置と、
前記加熱された溶融バサルト温度をバサルトプロセス温度より高く維持するため、前記第１の交流電源からの第１の交流電力、前記第２の交流電源からの第２の交流電力、及び前記第１の交流電力と前記第２の交流電力の電磁攪拌効果を制御するプロセスコントローラ、
を備える請求項１０又は１１に記載の電気誘導システム。
【請求項１４】
バサルト物品製造プロセスの溶融プロセスバサルト温度で溶融プロセスバサルトを供給するための、電気誘導によりバサルトチャージを溶融・加熱する方法であって、
高温コールドるつぼ誘導炉内において前記バサルトチャージを誘導加熱し、前記高温コールドるつぼ誘導炉内に加熱された溶融バサルトを生成する工程と、
前記高温コールドるつぼ誘導炉から溶融プロセスバサルトコールドるつぼ誘導炉に、前記加熱された溶融バサルトを自重で流動させる工程と、
前記溶融プロセスバサルトコールドるつぼ誘導炉内において前記加熱された溶融バサルトを誘導加熱し、前記溶融プロセスバサルトコールドるつぼ誘導炉内に前記溶融プロセスバサルトを生成する工程、
を含む方法。
【請求項１５】
さらに、前記溶融プロセスバサルトコールドるつぼ誘導炉の底部の鋳造プレナムにより前記溶融プロセスバサルトを鋳造し、前記溶融プロセスバサルトコールドるつぼ誘導炉内の加熱された溶融バサルトをバサルトフィラメント又はバサルト繊維生成温度まで誘導加熱しながらバサルトフィラメント又はバサルト繊維を生成する、請求項１４に記載の方法。
【請求項１６】
バサルト物品製造プロセスの溶融プロセスバサルト温度で溶融プロセスバサルトを供給するための、電気誘導によりバサルトチャージを溶融・加熱する方法であって、
高温コールドるつぼ誘導炉内において前記バサルトチャージを誘導加熱し、前記高温コールドるつぼ誘導炉内に加熱された溶融バサルトを生成する工程と、
セグメント化された複数の壁部分のそれぞれに内部通路を有する密封コールドるつぼロンダを介して前記高温コールドるつぼ誘導炉から前記加熱された溶融バサルトを溶融プロセスバサルトコールドるつぼ誘導炉に供給する工程と、
前記溶融プロセスバサルトコールドるつぼ誘導炉内において前記加熱された溶融バサルトを誘導加熱し、前記溶融プロセスバサルトコールドるつぼ誘導炉内に前記溶融プロセスバサルトを生成する工程、
を含む方法。
【請求項１７】
さらに、前記密封コールドるつぼロンダの前記セグメント化された複数の壁部分のそれぞれの内部通路に流体冷却媒体を流すことにより、前記密封コールドるつぼロンダ内の前記加熱された溶融バサルトの温度を制御する工程を含む、請求項１６に記載の方法。
【請求項１８】
さらに、前記溶融プロセスバサルトコールドるつぼ誘導炉の底部の鋳造プレナムにより前記溶融プロセスバサルトを鋳造し、前記溶融プロセスバサルトコールドるつぼ誘導炉内の加熱された溶融バサルトをバサルトフィラメント又はバサルト繊維生成温度まで誘導加熱しながらバサルトフィラメント又はバサルト繊維を生成する、請求項１６又は１７に記載の方法。
【請求項１９】
バサルト物品製造プロセスの溶融プロセスバサルト温度で溶融プロセスバサルトを供給するための、電気誘導によりバサルトチャージを溶融・加熱する方法であって、
溶融バサルトコールドるつぼ誘導炉にバサルトチャージを供給する工程であって、前記溶融バサルトコールドるつぼ誘導炉は、上部バサルト溶融ゾーンと、下部バサルトプロセスゾーンを有し、前記上部バサルト溶融ゾーンはその外部高さを包囲する一つ又は複数の高温誘導コイルを有し、前記下部バサルトプロセスゾーンはその外部高さを包囲する一つ又は複数の溶融プロセスバサルト温度誘導コイルを有する工程と、
第１の交流電源から前記一つ又は複数の高温誘導コイルに供給される第１の交流電力の可変的な制御により、前記上部バサルト溶融ゾーンにおいて、前記溶融バサルトコールドるつぼ誘導炉に供給された前記バサルトチャージを加熱された溶融バサルト温度にある溶融バサルトまで誘導溶融・加熱する工程と、
第２の交流電源から前記一つ又は複数の溶融プロセスバサルト温度誘導コイルに供給される第２の交流電力の可変的な制御により、前記下部バサルトプロセスゾーンにおいて、前記溶融バサルトを溶融バサルト製造プロセスのための溶融プロセスバサルト温度まで誘導加熱する工程、
を含む方法。
【請求項２０】
さらに、前記上部バサルト溶融ゾーンと前記下部バサルトプロセスゾーンとの間に過渡的なくびれ水平断面領域を形成し、前記上部バサルト溶融ゾーンは、前記下部バサルトプロセスゾーンの下部水平断面内部面積より小さい上部水平断面内部面積を有する工程を含む、請求項１９に記載の方法。
【請求項２１】
さらに、前記溶融バサルトコールドるつぼ誘導炉の底部の鋳造プレナムにより前記溶融プロセスバサルトを鋳造し、前記溶融プロセスバサルトコールドるつぼ誘導炉内の加熱された溶融バサルトをバサルトフィラメント又はバサルト繊維生成温度まで誘導加熱しながらバサルトフィラメント又はバサルト繊維を生成する、請求項１９又は２０に記載の方法。